(57)【要約】【課題】無線通信システムにおいてダウンリンク伝送のハンドオーバーを取り扱う方法及び装置を提供する。【解決手段】方法は、ユーザー端がソース基地局から目的基地局へハンドオーバーするとき、ユーザー端で肯定応答がなされていない複数のパケットをソース基地局から目的基地局に送信し、ユーザー端がソース基地局から目的基地局へハンドオーバーした後、上記複数のパケットを目的基地局からユーザー端に送信するステップからなる。【選択図】図３
2008005494.tif 000002
【特許請求の範囲】
【請求項１】
無線通信システムにおいてユーザー端ダウンリンク伝送時のハンドオーバーを取り扱う方法であって、
ユーザー端がソース基地局から目的基地局へハンドオーバーするとき、ユーザー端で肯定応答がなされていない複数のパケットをソース基地局から目的基地局に送信し、
ユーザー端がソース基地局から目的基地局へハンドオーバーした後、上記複数のパケットを目的基地局からユーザー端に送信するステップからなることを特徴とするハンドオーバーの取扱方法。
【請求項２】
前記方法は更に、
目的基地局で伝送ウィンドウを形成し、
前記複数のパケットのうち最も前のパケットに対応するシーケンス番号から伝送ウィンドウを起動させるステップを含むことを特徴とする請求項１記載のハンドオーバーの取扱方法。
【請求項３】
前記方法は更に、
前記複数のパケットのうちシーケンス番号が飛ばされたものを、肯定応答がなされたものとみなすステップを含むことを特徴とする請求項２記載のハンドオーバーの取扱方法。
【請求項４】
ユーザー端ダウンリンク伝送時のハンドオーバーを取り扱う、無線通信システムに用いられる通信装置であって、
通信装置の機能を実現させる制御回路と、
制御回路の中に設けられ、プログラムコードを実行して制御回路を制御する中央処理装置（ＣＰＵ）と、
制御回路の中でＣＰＵと結合されるように設けられ、プログラムコードを保存するための保存装置とを含み、そのうちプログラムコードは、
ソース基地局の第一機能を実行し、
第一機能を実行するときに、ユーザー端で肯定応答がなされていない複数のパケットを目的基地局に送信し、
ソース基地局の第二機能を実行し、
第二機能を実行するときに、上記複数のパケットをユーザー端に送信するステップを含むことを特徴とする通信装置。
【請求項５】
前記プログラムコードは更に、
第二機能を実行するときに伝送ウィンドウを形成し、
第二機能を実行するときに、前記複数のパケットのうち最も前のパケットに対応するシーケンス番号から伝送ウィンドウを起動させるステップを含むことを特徴とする請求項４記載の通信装置。
【請求項６】
前記プログラムコードは更に、
第二機能を実行するときに、前記複数のパケットのうちシーケンス番号が飛ばされたものを、肯定応答がなされたものとみなすステップを含むことを特徴とする請求項５記載の通信装置。
【請求項７】
無線通信システムにおいてユーザー端ダウンリンク伝送時のハンドオーバーを取り扱う方法であって、
受信ウィンドウと受信状態を確立して保持し、
ソース基地局から目的基地局へのハンドオーバープロセスを実行し、
ハンドオーバーの完成後、上記受信ウィンドウと受信状態に基づいて伝送を行うステップからなることを特徴とするハンドオーバーの取扱方法。
【請求項８】
前記方法は更に、
ハンドオーバーの前後にダウンリンクデータを並び替えるステップを含むことを特徴とする請求項７記載のハンドオーバーの取扱方法。
【請求項９】
ユーザー端ダウンリンク伝送時のハンドオーバーを取り扱う、無線通信システムに用いられる通信装置であって、
通信装置の機能を実現させる制御回路と、
制御回路の中に設けられ、プログラムコードを実行して制御回路を制御するＣＰＵと、
制御回路の中でＣＰＵと結合されるように設けられ、プログラムコードを保存するための保存装置とを含み、そのうちプログラムコードは、
受信ウィンドウと受信状態を確立して保持し、
ソース基地局から目的基地局へのハンドオーバープロセスを実行し、
ハンドオーバーの完成後、上記受信ウィンドウと受信状態に基づいて伝送を行うステップを含むことを特徴とする通信装置。
【請求項１０】
前記プログラムコードは更に、
ハンドオーバーの前後にダウンリンクデータを並び替えるステップを含むことを特徴とする請求項９記載の通信装置。
【発明の詳細な説明】
【技術分野】
【０００１】
本発明は無線通信システムにおいてダウンリンク伝送時のハンドオーバーを取り扱う方法及び装置に関し、特に不必要な再送を回避し、伝送効率を向上させる方法及び装置に関する。
【背景技術】
【０００２】
第三世代移動通信技術では高いスペクトル利用効率、カバー率、通話品質及び高速伝送が実現するとともに、ＱｏＳ（サービス品質）の確保、柔軟性のある双方向通信の実現、通話中断率の低減が可能となる。しかし、高速データ伝送及びマルチメディア応用への要求が高まる中で、次世代の移動通信技術は開発されつつあり、それに伴う通信規格の改定も頻繁に行われている。例えば、第三世代移動通信システム（例えばＵＭＴＳ（ｕｎｉｖｅｒｓａｌ  ｍｏｂｉｌｅ  ｔｅｌｅｃｏｍｍｕｎｉｃａｔｉｏｎ  ｓｙｓｔｅｍ））をベースにした先進高速無線システムであるＬＴＥ（ｌｏｎｇ  ｔｅｒｍ  ｅｖｏｌｕｔｉｏｎ）無線通信システムは、パケット交換のみサポートすればよいため、そのＲＬＣ（無線リンク制御）層とＭＡＣ（媒体アクセス制御）層は同一の通信プロトコル層として統合されており、システム構造が簡単でありながらも、伝送遅延の解消及び伝送効率の向上に大きく役立つ。
【０００３】
実用に耐えうる通信規格には長時間にわたる検討、制定、改正が必要である。上記ＬＴＥは現在のところでは技術報告の段階に過ぎず、未だに正式の規格にはなっていないので、そこで規定されるプロトコルエンティティーの機能に関しても未解決の問題が数々残っている。例えば、３ＧＰＰによる技術報告３ＧＰＰ  ＴＲ  ２５．８１３  Ｖ１．０．１の９．１．７では、エンハンスド基地局間（ｉｎｔｅｒ−ｅＮＢ）のハンドオーバー時におけるダウンリンクデータの処理に関する考え方が掲げられている。同報告によると、ハンドオーバー時において、ソース基地局（ｓｏｕｒｃｅ  ｅＮＢ）はユーザー端において正常に受信されない１個目のダウンリンクＲＬＣ  ＳＤＵ（無線リンク制御サービスデータユニット）から、すべてのダウンリンクＲＬＣ  ＳＤＵを目的基地局（ｔａｒｇｅｔ  ｅＮＢ）に送る。その後、ソース基地局は残存のＰＤＵ（プロトコルデータユニット）をすべて削除し、目的基地局はソース基地局からのＳＤＵをユーザー端に再送する。それに対して、ダウンリンクＲＬＣコンテキストはソース基地局から目的基地局に送信されない。
【０００４】
なお、３ＧＰＰによるＲＬＣ技術報告３ＧＰＰ  ＴＲ  ２５．３２２  Ｖ７．０．０によると、ネットワーク端のＲＬＣエンティティーはハンドオーバー時に再確立される。すなわち、すべての状態変数は初期値に戻され、送信予定ＰＤＵのうち１個目のシーケンス番号と、受信予定ＰＤＵのうち１個目のシーケンス番号は０にリセットされる。ＲＬＣエンティティーの再確立が正常に実行されれば、ハンドオーバーも円滑に実行することができる。
【０００５】
ＬＴＥ無線通信システムでは、ＰＤＣＰ（パケットデータ収斂プロトコル）エンティティーはＲＬＣエンティティーの上位層プロトコルエンティティーとして、パケット（ＲＬＣエンティティーにとってはＲＬＣ  ＳＤＵ）をＲＬＣエンティティーに出力する。暗号化のためにＰＤＣＰエンティティーで形成されるパケットにはすべてＰＤＣＰシーケンス番号がつけられ、ＲＬＣエンティティーはそれに基づいて並び替え（ｒｅ−ｏｒｄｅｒｉｎｇ）、重複検査、フロー制御、ＡＲＱ（自動リピート要求）などの処理を行う。ＲＬＣエンティティーでは、ＰＤＣＰエンティティーによるシーケンス番号は重複利用が可能であるため、ＲＬＣエンティティーで形成されるパケット（すなわちＰＤＵ）のヘッダには、ＲＬＣシーケンス番号を表示するフィールドをつけなくとも可能である。
【０００６】
ＲＬＣエンティティーで形成されるＰＤＵのヘッダにＲＬＣシーケンス番号フィールドをつけない場合、すなわちＲＬＣエンティティーで関連動作（例えばＡＲＱ）を実行するにＰＤＣＰシーケンス番号が利用される場合、このＰＤＣＰシーケンス番号はＰＤＣＰエンティティーにより形成されたものであるため、ＲＬＣエンティティーではこれをリセットすることができない。このことは、場合によってハンドオーバー時にＲＬＣ  ＳＤＵが紛失し、伝送効率が低下する原因となる。
【０００７】
例えば、ＬＴＥ無線通信システムにおいて、ユーザー端がエンハンスド基地局にデータを送信する（アップリンク伝送）場合、ハンドオーバー前にＰＤＣＰシーケンス番号０〜２０のパケットがエンハンスド基地局により１回以上送信され、ハンドオーバー時において、ＰＤＣＰシーケンス番号２、３以外のパケットがすべてユーザー端で受信され肯定応答がなされたとすれば、上記３ＧＰＰ  ＴＲ  ２５．８１３の９．１．７によると、ソース基地局はＰＤＣＰシーケンス番号２〜２０のパケットを目的基地局に送信し、目的基地局はＰＤＣＰシーケンス番号２〜２０のパケットをユーザー端に再送する。言い換えれば、ユーザー端がハンドオーバー前にシーケンス番号４〜２０のパケットを受信したにもかかわらず、これらのパケットは後に目的基地局により再送され、それにより通信効率は低下する。
【０００８】
また、上記３ＧＰＰ  ＴＲ  ２５．８１３の９．１．７によれば、ユーザー端により正常に受信されていないダウンリンクＲＬＣ  ＳＤＵのみ再送する最適な方法は、更なる研究が必要であるという。しかし、ダウンリンクＲＬＣコンテキストはソース基地局から目的基地局に送信されないため、目的基地局では、ソース基地局によるＳＤＵがユーザー端において正常に受信されたかを判断するに十分な情報が得られない。例えば、ユーザー端でエンハンスド基地局からデータをダウンロードする（ダウンリンク伝送）場合、ハンドオーバー前にＰＤＣＰシーケンス番号０〜２０のパケットがエンハンスド基地局により出力され、ハンドオーバー時において、ＰＤＣＰシーケンス番号２、３以外のパケットがすべてユーザー端により受信され肯定応答がなされたとすれば、上記３ＧＰＰ  ＴＲ  ２５．８１３の９．１．７によると、ソース基地局はＰＤＣＰシーケンス番号２〜２０のＳＤＵを目的基地局に送信する。この場合、ユーザー端により正常に受信されていないダウンリンクＲＬＣ  ＳＤＵのみ再送する方法は以下の２種類がある。一つは、目的基地局がユーザー端に対してダウンリンク受信状態報告ユニットの出力を求める方法で、もう一つは、目的基地局がソース基地局に対してハンドオーバー時の伝送状態情報、すなわちＲＬＣコンテキストの一部を出力するように求める方法である。しかし、両方法はいずれも別途のプロセスを必要とする。しかも、いずれの方法を利用しても、ソース基地局から目的基地局に送信されたパケットのうち、ユーザー端に正常に受信されたパケットは目的基地局により削除されることを免れない。そのため、無線資源を不必要なパケット伝送に費やすことは回避できない。
【発明の開示】
【発明が解決しようとする課題】
【０００９】
本発明は前記問題を解決するため、無線通信システムにおいてダウンリンク伝送のハンドオーバーを取り扱う方法及び装置を提供することを課題とする。
【課題を解決するための手段】
【００１０】
本発明は、無線通信システムにおいてユーザー端ダウンリンク伝送時のハンドオーバーを取り扱う方法を提供する。該方法は、ユーザー端がソース基地局から目的基地局へハンドオーバーするとき、ユーザー端で肯定応答がなされていない複数のパケットをソース基地局から目的基地局に送信し、ユーザー端がソース基地局から目的基地局へハンドオーバーした後、上記複数のパケットを目的基地局からユーザー端に送信するステップからなる。
【００１１】
本発明は更に、ユーザー端ダウンリンク伝送時のハンドオーバーを取り扱う、無線通信システムに用いられる通信装置を提供する。該通信装置は、通信装置の機能を実現させる制御回路と、制御回路の中に設けられ、プログラムコードを実行して制御回路を制御する中央処理装置（ＣＰＵ）と、制御回路の中でＣＰＵと結合されるように設けられ、プログラムコードを保存するための保存装置とを含む。該プログラムコードは、ソース基地局の第一機能を実行し、第一機能を実行するときに、ユーザー端で肯定応答がなされていない複数のパケットを目的基地局に送信し、ソース基地局の第二機能を実行し、第二機能を実行するときに、上記複数のパケットをユーザー端に送信するステップを含む。
【００１２】
本発明は更に、無線通信システムにおいてユーザー端ダウンリンク伝送時のハンドオーバーを取り扱う方法を提供する。該方法は、受信ウィンドウと受信状態を確立して保持し、ソース基地局から目的基地局へのハンドオーバープロセスを実行し、ハンドオーバーの完成後、上記受信ウィンドウと受信状態に基づいて伝送を行うステップからなる。
【００１３】
本発明は、ユーザー端ダウンリンク伝送時のハンドオーバーを取り扱う、無線通信システムに用いられる通信装置を提供する。該通信装置は、通信装置の機能を実現させる制御回路と、制御回路の中に設けられ、プログラムコードを実行して制御回路を制御するＣＰＵと、制御回路の中でＣＰＵと結合されるように設けられ、プログラムコードを保存するための保存装置とを含む。該プログラムコードは、受信ウィンドウと受信状態を確立して保持し、ソース基地局から目的基地局へのハンドオーバープロセスを実行し、ハンドオーバーの完成後、上記受信ウィンドウと受信状態に基づいて伝送を行うステップを含む。
【発明の効果】
【００１４】
本発明では、ユーザー端がダウンリンク伝送時にソース基地局から目的基地局にハンドオーバーするとき、ユーザー端で肯定応答がなされていないパケットはソース基地局から目的基地局に送信されるため、目的基地局では別途に状態報告を実行しなくともユーザー端で肯定応答がなされていないパケットをユーザー端に送信することができる。したがって、不必要な再送は回避され、伝送効率は向上する。
【発明を実施するための最良の形態】
【００１５】
かかる方法及び装置の特徴を詳述するために、具体的な実施例を挙げ、図示を参照して以下に説明する。
【００１６】
図１を参照する。図１は無線通信システムの無線通信装置１００のブロック図である。説明を簡素化するため、図１は無線通信装置１００の入力装置１０２、出力装置１０４、制御回路１０６、ＣＰＵ（中央処理装置）１０８、保存装置１１０、プログラムコード１１２及びトランシーバー１１４のみ描くとする。無線通信装置１００において、制御回路１０６はＣＰＵ１０８で保存装置１１０に保存されるプログラムコード１１２を実行し、無線通信装置１００の動作を制御する。制御回路１０６は入力装置１０２（例えばキーボード）を介してユーザーが入力した信号を受信し、出力装置１０４（スクリーン、スピーカーなど）を介して映像、音声などの信号を出力する。無線信号を受発信するトランシーバー１１４は受信した信号を制御回路１０６に送信し、または制御回路１０６による信号を無線で出力する。言い換えれば、通信プロトコルに当てはめれば、トランシーバー１１４は第一層の一部とみなされ、制御回路１０６は第二層と第三層の機能を実現させる。無線通信装置１００は第三世代移動通信システムに設けられることが望ましい。
【００１７】
図２を参照する。図２は図１に示すプログラムコード１１２を表す説明図である。アプリケーション層２００と、第三層インターフェイス２０２と、第二層インターフェイス２０６からなるプログラムコード１１２は、第一層インターフェイス２１８と接続されている。第二層インターフェイス２０６は副層としてＲＬＣエンティティー２２６とＰＤＣＰエンティティー２２４を含む。ＰＤＣＰエンティティー２２４はＲＬＣエンティティー２２６の上位層プロトコルエンティティーとして、ヘッダの圧縮／解凍、ユーザーデータの伝送、ＰＤＣＰシーケンス番号の暗号化及び保持などの処理を行う。ＲＬＣエンティティー２２６は種々のサービス品質に応じ、伝送データや制御指令に対して分割、再組み立て、連結、パディング、再送、シーケンス検査、重複検出などの処理を行う。
【００１８】
ＬＴＥ無線通信システムでは、暗号化のためにＰＤＣＰエンティティー２２４で形成されるパケットにはすべてＰＤＣＰシーケンス番号がつけられ、ＲＬＣエンティティー２２６はそれに基づいてＲＬＣ機能を実行する。ＲＬＣエンティティー２２６ではＰＤＣＰエンティティー２２４によるシーケンス番号は重複利用が可能であるため、ＲＬＣエンティティー２２６で形成されるパケット（すなわちＰＤＵ）のヘッダにＲＬＣシーケンス番号を表示するフィールドをつけなくとも可能である。ハンドオーバーの効率を向上させ、従来の問題を解決するため、本発明は下記のようなダウンリンクデータ処理プログラムコード２２０を提供する。
【実施例１】
【００１９】
図３を参照する。図３は本発明の実施例１による方法３０のフローチャートである。下記方法３０は無線通信システムにおいてユーザー端のダウンリンク伝送に用いられ、ダウンリンクデータ処理プログラムコード２２０としてコンパイルすることができる。
ステップ３００：開始。
【００２０】
ステップ３０２：ユーザー端がソース基地局から目的基地局へハンドオーバーするとき、ユーザー端で肯定応答がなされていない複数のパケットをソース基地局から目的基地局に送信する。
【００２１】
ステップ３０４：ユーザー端がソース基地局から目的基地局へハンドオーバーした後、上記複数のパケットを目的基地局からユーザー端に送信する。
【００２２】
ステップ３０６：終了。
以上のとおり、ユーザー端がダウンリンク伝送時にソース基地局から目的基地局にハンドオーバーするとき、ソース基地局はユーザー端で肯定応答がなされていない複数のパケットを目的基地局に送信し、目的基地局は更にこれらのパケットをユーザー端に送信する。言い換えれば、ユーザー端で肯定応答がなされたパケットは目的基地局に送信されず、目的基地局はユーザー端で肯定応答がなされたパケットを再送せず、それに用いる無線資源は節減され、ＲＬＣコンテキストの目的基地局への送信や状態報告の起動も不要となる。望ましくは、基地局は、上記複数のパケットのうち最も前のパケットのシーケンス番号を起点とする伝送ウィンドウを起動させ、伝送ウィンドウにおいて飛ばされた番号（ギャップ）に対応するパケットを、肯定応答がなされたものとみなす。
【実施例２】
【００２３】
図４を参照する。図４は本発明の実施例２による方法４０のフローチャートである。下記方法４０は無線通信システムにおいてユーザー端のダウンリンク伝送に用いられ、ダウンリンクデータ処理プログラムコード２２０としてコンパイルすることができる。
ステップ４００：開始。
【００２４】
ステップ４０２：受信ウィンドウと受信状態を確立して保持する。
【００２５】
ステップ４０４：ソース基地局から目的基地局へのハンドオーバープロセスを実行する。
【００２６】
ステップ４０６：ハンドオーバーの完成後、上記受信ウィンドウと受信状態に基づいて伝送を行う。
【００２７】
ステップ４０８：終了。
以上のとおり、ユーザー端がダウンリンク伝送時にソース基地局から目的基地局にハンドオーバーするとき、該ユーザー端の受信ウィンドウはリセットされずに本来の受信状態を維持する。したがって、ソース基地局から目的基地局にハンドオーバーした後でも、ユーザー端は引き続きパケットを受信できる。それにより伝送遅延は解消され、伝送効率は向上する。上記方法４０では、ユーザー端はハンドオーバー前後にダウンリンクデータを並び替えることが望ましい。
【００２８】
総じていえば、本発明では、ユーザー端がダウンリンク伝送時にソース基地局から目的基地局にハンドオーバーするとき、ユーザー端で肯定応答がなされていないパケットはソース基地局から目的基地局に送信されるため、目的基地局では別途に状態報告を実行しなくともユーザー端で肯定応答がなされていないパケットをユーザー端に送信することができる。したがって、肯定応答がなされたパケットの不必要な再送は回避され、伝送効率は向上する。
【００２９】
以上は本発明に好ましい実施例であって、本発明の実施の範囲を限定するものではない。よって、当業者のなし得る修正、もしくは変更であって、本発明の精神の下においてなされ、本発明に対して均等の効果を有するものは、いずれも本発明の特許請求の範囲に属するものとする。
【産業上の利用可能性】
【００３０】
本発明は従来の動作条件を変えたのみであり、当然実施可能である。
【図面の簡単な説明】
【００３１】
【図１】無線通信システムの無線通信装置のブロック図である。
【図２】図１に示すプログラムコードを表す説明図である。
【図３】本発明の実施例１による方法のフローチャートである。
【図４】本発明の実施例２による方法のフローチャートである。
【符号の説明】
【００３２】
１００      無線通信装置
１０２      入力装置
１０４      出力装置
１０６      制御回路
１０８      ＣＰＵ
１１０      保存装置
１１２      プログラムコード
１１４      トランシーバー
２００      アプリケーション層
２０２      第三層インターフェイス
２０６      第二層インターフェイス
２１８      第一層インターフェイス
２２０      ダウンリンクデータ処理プログラムコード
２２４      ＰＤＣＰエンティティー
２２６      ＲＬＣエンティティー
【図１】
2008005494.tif 000003
【図２】
2008005494.tif 000004
【図３】
2008005494.tif 000005
【図４】
2008005494.tif 000006